(57)【特許請求の範囲】
【請求項１】
上方に立設した一対の立設部の上端に内側下方に鋭角に傾斜した折返部が形成されていて建造物の屋根の上面に所定間隔で配列される複数の屋根板と、
隣接する一対の前記屋根板の間隙に位置する保持部と一対の前記折返部に個々に係合する一対の係合部とが形成されていて複数の前記屋根板の間隙に配列される支持部材と、
隣接する一対の前記屋根板の前記折返部に前記係合部を介して係合する一対の鋭角の曲折部が上面部の両側に個々に形成されている上部部材と、
前記支持部材と前記上部部材との間隙に上下方向に圧縮された状態で位置するパッキン部材と、
を有し、
前記パッキン部材の上面と前記上部部材の上面部の下面との間隙に平板状のバックアップ部材が挿入されている瓦棒葺き屋根。
【請求項２】
前記建造物の屋根に施工する防水シートが貼着されるシート装着部材が前記上部部材の上面部の上面に配置されており、
前記上部部材と前記バックアップ部材とに前記シート装着部材がタッピングビスで固定されている請求項１に記載の瓦棒葺き屋根。
【請求項３】
前記タッピングビスは、前記シート装着部材と前記上部部材と前記バックアップ部材とを貫通している請求項２に記載の瓦棒葺き屋根。
【請求項４】
前記タッピングビスは、前記シート装着部材とクロスシートと前記上部部材と前記バックアップ部材とを貫通している請求項２または３に記載の瓦棒葺き屋根。
【請求項５】
上方に立設した一対の立設部の上端に内側下方に鋭角に傾斜した折返部が形成されている複数の屋根板を建造物の屋根の上面に所定間隔で配列し、
隣接する一対の前記屋根板の間隙に位置する保持部と一対の前記折返部に個々に係合する一対の係合部とが形成されている複数の支持部材を複数の前記屋根板の間隙に配列し、
複数の前記支持部材の内部に複数のパッキン部材を個々に挿入し、
前記パッキン部材を上下方向に圧縮して上部部材の上面部の両側に個々に形成されている一対の鋭角の曲折部を隣接する一対の前記屋根板の前記折返部に前記係合部を介して係合させ、
前記パッキン部材の上面と前記上部部材の上面部の下面との間隙に平板状のバックアップ部材を挿入する屋根施工方法。
【請求項６】
前記建造物の屋根に施工する防水シートを貼着するシート装着部材を前記上部部材の上面部の上面に配置し、
前記上部部材と前記バックアップ部材とに前記シート装着部材をタッピングビスで固定する請求項５に記載の屋根施工方法。
【請求項７】
前記タッピングビスを、前記シート装着部材と前記上部部材と前記バックアップ部材とに貫通させる請求項６に記載の屋根施工方法。
【請求項８】
前記タッピングビスを、前記シート装着部材とクロスシートと前記上部部材と前記バックアップ部材とに貫通させる請求項６または７に記載の屋根施工方法。
【請求項９】
前記タッピングビスを、前記支持部材を貫通しない位置で前記パッキン部材の内部に位置させる請求項６ないし８の何れか一項に記載の屋根施工方法。
【請求項１０】
前記シート装着部材の少なくとも一部を前記防水シートと貼着する請求項６ないし９の何れか一項に記載の屋根施工方法。
【発明の詳細な説明】
【技術分野】
【０００１】
本発明は、建造物の屋根に瓦棒を利用して防水シートが敷設される瓦棒葺き屋根、これを防水施工する屋根施工方法、に関する。
【背景技術】
【０００２】
現在、建造物の屋根として、複数の瓦棒を所定間隔で配列した瓦棒葺き屋根がある。このような瓦棒葺き屋根に対してなされる防水施工では、上方に立設した一対の立設部の上端に内側下方に鋭角に傾斜した折返部が形成されている複数の帯状金属製屋根板を屋根の上面に所定間隔で配列する。
【０００３】
そして、上部部材の上面部の両側に個々に形成されている一対の直角の曲折部を、隣接する一対の帯状金属製屋根板の折返部に係合させる。さらに、この上部部材の上面部にシート装着部材がタッピングビスなどで固定され、このシート装着部材に防水シートが接着などで装着される（特許文献１）。
【先行技術文献】
【特許文献】
【０００４】
【特許文献１】公開実用平成０１−１５３０２６号公報
【発明の概要】
【発明が解決しようとする課題】
【０００５】
しかし、上述のような瓦棒葺き屋根においては、強風などで防水シートが遊離すると、シート装着部材とともに上部部材が上方に引き上げられる。すると、上部部材がタッピングビスの位置で曲折される状態となり、両側の直角の曲折部が瓦棒の折返部から脱落する恐れが発生し、脱落によっては防水の信頼性を損なうことがある。
【０００６】
本発明は上述のような課題に鑑みてなされたものであり、強風などで防水シートが遊離してシート装着部材とともに上部部材が上方に引き上げられても、上部部材が瓦棒から脱落しない瓦棒葺き屋根、この瓦棒葺き屋根を防水施工する屋根施工方法、を提供するものである。
【課題を解決するための手段】
【０００７】
本発明の瓦棒葺き屋根は、上方に立設した一対の立設部の上端に内側下方に鋭角に傾斜した折返部が形成されていて建造物の屋根の上面に所定間隔で配列される複数の屋根板と、隣接する一対の屋根板の間隙に位置する保持部と一対の折返部に個々に係合する一対の係合部とが形成されていて複数の屋根板の間隙に配列される支持部材と、隣接する一対の屋根板の折返部に係合部を介して係合する一対の鋭角の曲折部が上面部の両側に個々に形成されている上部部材と、支持部材と上部部材との間隙に上下方向に圧縮された状態で位置するパッキン部材と、を有する。
【０００８】
本発明の瓦棒葺き屋根では、上下方向に圧縮されたパッキン部材の圧力により、上部部材の両側の鋭角の曲折部が屋根板の折返部に強固に係合している。このため、強風などで防水シートが遊離してシート装着部材とともに上部部材が上方に引き上げられても、上部部材が屋根板から脱落しない。
【０００９】
また、上述のような瓦棒葺き屋根において、パッキン部材の上面と上部部材の上面部の下面との間隙に平板状のバックアップ部材が挿入されていてもよい。
【００１０】
また、上述のような瓦棒葺き屋根において、建造物の屋根に施工する防水シートが貼着されるシート装着部材が上部部材の上面部の上面に配置されており、上部部材とバックアップ部材とにシート装着部材がタッピングビスで固定されていてもよい。
【００１１】
また、上述のような瓦棒葺き屋根において、タッピングビスは、シート装着部材と上部部材とバックアップ部材とを貫通していてもよい。
【００１２】
また、上述のような瓦棒葺き屋根において、タッピングビスは、シート装着部材とクロスシートと上部部材とバックアップ部材とを貫通していてもよい。
【００１３】
本発明の屋根施工方法は、上方に立設した一対の立設部の上端に内側下方に鋭角に傾斜した折返部が形成されている複数の屋根板を建造物の屋根の上面に所定間隔で配列し、隣接する一対の屋根板の間隙に位置する保持部と一対の折返部に個々に係合する一対の係合部とが形成されている複数の支持部材を複数の屋根板の間隙に配列し、複数の支持部材の内部に複数のパッキン部材を個々に挿入し、パッキン部材を上下方向に圧縮して上部部材の上面部の両側に個々に形成されている一対の鋭角の曲折部を隣接する一対の屋根板の折返部に係合部を介して係合させる。
【００１４】
また、上述のような屋根施工方法において、パッキン部材の上面と上部部材の上面部の下面との間隙に平板状のバックアップ部材を挿入してもよい。
【００１５】
また、上述のような屋根施工方法において、建造物の屋根に施工する防水シートを貼着するシート装着部材を上部部材の上面部の上面に配置し、上部部材とバックアップ部材とにシート装着部材をタッピングビスで固定してもよい。
【００１６】
また、上述のような屋根施工方法において、タッピングビスを、シート装着部材と上部部材とバックアップ部材とを貫通させてもよい。
【００１７】
また、上述のような屋根施工方法において、タッピングビスを、シート装着部材とクロスシートと上部部材とバックアップ部材とに貫通させてもよい。
【００１８】
また、上述のような屋根施工方法において、タッピングビスを、支持部材を貫通しない位置でパッキン部材の内部に位置させてもよい。
【００１９】
また、上述のような屋根施工方法において、シート装着部材の少なくとも一部を防水シートと貼着してもよい。
【発明の効果】
【００２０】
本発明の瓦棒葺き屋根では、上下方向に圧縮されたパッキン部材の圧力により、上部部材の両側の鋭角の曲折部が屋根板の折返部に強固に係合している。このため、強風などで防水シートが遊離してシート装着部材とともに上部部材が上方に引き上げられても、上部部材が屋根板から脱落しない。従って、強風などで防水シートが遊離しても上部部材が屋根板から脱落しない瓦棒葺き屋根を実現することができる。
【図面の簡単な説明】
【００２１】
【図１】本発明の実施の形態の瓦棒葺き屋根の構造を示す模式的な縦断正面図である。
【図２】屋根施工方法の一工程を示す模式的な縦断正面図である。
【図３】屋根施工方法の一工程を示す模式的な縦断正面図である。
【図４】屋根施工方法の一工程を示す模式的な縦断正面図である。
【図５】屋根施工方法の一工程を示す模式的な縦断正面図である。
【図６】屋根施工方法の一工程を示す模式的な縦断正面図である。
【図７】屋根施工方法の一工程を示す模式的な縦断正面図である。
【図８】防水シートが遊離した状態を示す模式的な縦断正面図である。
【発明を実施するための形態】
【００２２】
本発明の実施の一形態を図面を参照して以下に説明する。本実施の形態の瓦棒葺き屋根１００は、図１に示すように、上方に立設した一対の立設部１１１の上端に内側下方に鋭角に傾斜した折返部１１２が形成されていて建造物の屋根ＲＦの上面に所定間隔で配列される複数の瓦棒(部分)１１３を形成する金属製屋根板１１０と、隣接する一対の金属製屋根板１１０の間隙に位置する保持部１２１と一対の折返部１１２に個々に係合する一対の係合部１２２とが形成されていて複数の金属製屋根板１１０の間隙に配列される支持部材１２０と、隣接する一対の金属製屋根板１１０の折返部１１２に係合部１２２を介して係合する一対の鋭角の曲折部１３１が上面部１３２の両側に個々に形成されている上部部材１３０と、支持部材１２０と上部部材１３０との間隙に上下方向に圧縮された状態で位置するパッキン部材１４０と、を有する。
【００２３】
また、本実施の形態の瓦棒葺き屋根１００では、パッキン部材１４０の上面と上部部材１３０の上面部１３２の下面との間隙に平板状のバックアップ部材１５０が挿入されている。
【００２４】
また、建造物の屋根ＲＦに施工する防水シート１７０が貼着されるシート装着部材１６０が、クロスシート１８０を介して上部部材１３０の上面部１３２の上面に配置されている。このクロスシート１８０は、防水シート１７０を保護するもので、ポリエチレン樹脂やポリエステルなどで形成されている。
【００２５】
そして、上部部材１３０とバックアップ部材１５０とにシート装着部材１６０がクロスシート１８０を介してタッピングビス１６１で固定されており、タッピングビス１６１は、シート装着部材１６０とクロスシート１８０と上部部材１３０とバックアップ部材１５０とを貫通している。
【００２６】
なお、金属製屋根板１１０の立設部１１１の各間には、断熱材１４１が配置されている。そして、上述のような構造体の全体にクロスシート１８０と防水シート１７０とが敷設されており、この防水シート１７０は、円盤状の樹脂被覆鋼板製のシート装着部材１６０の樹脂が被覆された表面に熱融着で固定されている。
【００２７】
より具体的には、所定間隔で配置された金属製屋根板１１０は、図面を貫通する前後方向に細長形状に形成されており、その長手方向に支持部材１２０が配置されている。このように配列された支持部材１２０の位置に、上部部材１３０とパッキン部材１４０とシート装着部材１６０とが配置されている。図２に示すように、このように所定間隔で配置された金属製屋根板１１０の隣接する立設部１１１からなる部分を、瓦棒(部分)１１３と呼称する。
【００２８】
これで屋根ＲＦの表面に前後方向に細長形状の複数の金属製屋根板１１０が左右方向に配列され、支持部材１２０と上部部材１３０とパッキン部材１４０とシート装着部材１６０とが左右方向に所定間隔で配列されることになる。
【００２９】
上述のような構成において、本実施の形態の瓦棒葺き屋根１００では、上下方向に圧縮されたパッキン部材１４０の復元力により、上部部材１３０の両側の鋭角の曲折部１３１が金属製屋根板１１０の折返部１１２に強固に係合している。
【００３０】
このため、図８に示すように、強風などで防水シート１７０が遊離してシート装着部材１６０とともに上部部材１３０が上方に引き上げられても、上部部材１３０が瓦棒(部分)１１３から脱落しない。
【００３１】
特に、パッキン部材１４０の上面と上部部材１３０の上面部１３２の下面との間隙に平板状のバックアップ部材１５０が挿入されている。このため、図示するように、強風などで防水シート１７０が遊離してシート装着部材１６０とともに上部部材１３０が曲折されて上方に引き上げられる方向(タッピングビス１６１を引き抜く方向)に応力が作用しても、シート装着部材１６０とバックアップ部材１５０とが一体化したと見なされる状態であるため(板厚が増加した状態)、引き抜き応力に対する変形保持力が向上し、上部部材１３０が瓦棒(部分)１１３から脱落することが防止される。
【００３２】
しかも、クロスシート１８０と上部部材１３０とバックアップ部材１５０とにシート装着部材１６０がタッピングビス１６１で固定されており、タッピングビス１６１は、シート装着部材１６０と上部部材１３０とバックアップ部材１５０とを貫通している。
【００３３】
このため、防水シート１７０が固定されるシート装着部材１６０がタッピングビス１６１で上部部材１３０とバックアップ部材１５０とに確実に固定される。しかも、圧縮された状態のパッキン部材１４０がバックアップ部材１５０を下方から押圧しているため、タッピングビス１６１の固定によって、いっそう上部部材１３０とバックアップ部材１５０とが密着して一体化した状態となる。
【００３４】
従って、貫通したタッピングビス１６１の先端はパッキン部材１４０の内部に位置することになり、上部部材１３０とバックアップ部材１５０とを貫通したタッピングビス１６１が保持部１２１を貫通することがないため、漏水の原因となることがない。
【００３５】
ここで本実施の形態の瓦棒葺き屋根１００を防水施工する屋根施工方法を以下に順番に説明する。まず、図２に示すように、上方に立設した一対の立設部１１１の上端に内側下方に鋭角に傾斜した折返部１１２が形成されている複数の金属製屋根板１１０を、建造物の屋根ＲＦの上面に所定間隔で配列することで、所定間隔に配列された瓦棒(部分)１１３を形成する。
【００３６】
つぎに、図３に示すように、隣接する一対の金属製屋根板１１０の間隙に位置する保持部１２１と一対の折返部１１２に個々に係合する一対の係合部１２２とが形成されている複数の支持部材１２０を複数の金属製屋根板１１０の間隙に配列する。
【００３７】
このとき、図示するように、支持部材１２０を金属製屋根板１１０に配置してから直線状の係合部１２２を曲折させてもよく、最初から曲折されている支持部材１２０の係合部１２２を金属製屋根板１１０の折返部１１２に係合させてもよい。
【００３８】
つぎに、図４に示すように、複数の支持部材１２０の内部に複数のパッキン部材１４０を個々に挿入する。このパッキン部材１４０は、図示するように、支持部材１２０の開口部の深さより上下方向に厚く形成されている。このパッキン部材１４０は、詳細には後述するが、軟質ウレタンフォームなどからなり、所定の弾発性を有する。
【００３９】
このような状態で、図５に示すように、金属製の平板状のバックアップ部材１５０をパッキン部材１４０の上面に載置し、この上方から上部部材１３０を両側の金属製屋根板１１０の折返部１１２に係合させる。
【００４０】
このとき、金属製の平板状のバックアップ部材１５０は、パッキン部材１４０の上面に事前に載置せずに、金属製の平板状のバックアップ部材１５０の両側の金属製屋根板１１０の折返部１１２に係合させてから、バックアップ部材１５０をパッキン部材１４０と上部部材１３０との間隙に挿入してもよい。
【００４１】
より詳細には、この折返部１１２には、上述のように支持部材１２０の係合部１２２が係合しているので、上部部材１３０の曲折部１３１は隣接する一対の金属製屋根板１１０の折返部１１２に係合部１２２を介して係合させることになる。
【００４２】
また、前述のようにパッキン部材１４０は支持部材１２０の開口部の深さより上下方向に厚く形成されているので、上部部材１３０はパッキン部材１４０を下方に圧縮した状態で金属製屋根板１１０に装着される。
【００４３】
つぎに、図６に示すように、上述のように上部部材１３０が装着された金属製屋根板１１０の内部に、断熱材１４１が配置される。この断熱材１４１は、例えば、スチレンフォーム、ポリ塩化ビニール、軟質ウレタンフォーム、などからなり、接着などで金属製屋根板１１０に固定される。
【００４４】
そして、図７に示すように、上述のように一対の金属製屋根板１１０ごとに装着された上部部材１３０の上面部１３２と断熱材１４１との上面全域に、クロスシート１８０が敷設される。
【００４５】
その上面から外観や触診で上部部材１３０の位置が確認され、この上部部材１３０上にシート装着部材１６０を配置し、このシート装着部材１６０をクロスシート１８０と上部部材１３０とバックアップ部材１５０とにタッピングビス１６１で固定する。
【００４６】
なお、ここではクロスシート１８０の上面にシート装着部材１６０を固定する構造を例示した。しかし、シート装着部材１６０の位置でクロスシート１８０をくり抜いたり切り裂いてもよい(図示せず)。
【００４７】
複数の上部部材１３０の全部に上述のようにシート装着部材１６０が固定されたら、図１に示すように、防水シート１７０を全体に敷設し、接着や溶着でシート装着部材１６０に固定する。
【００４８】
上述のように製造した瓦棒葺き屋根１００は、前述のように強風などで防水シートが遊離してシート装着部材１６０とともに上部部材１３０が上方に引き上げられても、上部部材１３０が瓦棒(部分)１１３から脱落しない。
【００４９】
ここで、本発明者による試作品の実験結果を以下に例示する。まず、瓦棒屋根において、従来工法では下地を貫通して固定強度の出る鉄骨にシート装着部材１６０を釘固定するが、この工法は漏水と屋根裏材料(主に木毛セメント板など)の破壊が懸念される。金属製屋根板１１０の瓦棒(部分)１１３に上部部材１３０を引っ掛けて、上部部材１３０の耐変形強度により固定強度を保持する工法にすると、この懸念が改善される。
【００５０】
しかし、上部部材１３０を加工し易く(薄く)するとシート装着部材１６０との固定強度が弱く、厚くすると高価・加工困難、瓦棒(部分)１１３への固定も手間が掛かるなどの問題があるため、好適な上部部材１３０について検討した。
【００５１】
試験種類
・金属製屋根板１１０下地に対する上部部材１３０の固定(嵌合)→上部部材１３０に対するシート装着部材１６０の(ビス)固定→シート装着部材１６０の引き抜き強度を検証。なお、「エクセル−ＦＭ」は商品名称である。
【００５２】
１．  下地＋厚０．５ｍｍ上部部材＋一般セルフタップビス（Ｆ）
２．  下地＋厚０．８ｍｍ上部部材＋一般セルフタップビス（Ｆ）
３．  下地＋厚０．８ｍｍ上部部材＋ブラインドリベット（ＢＲ）
４．  下地＋厚１．０ｍｍ上部部材＋ブラインドリベット（ＢＲ）
５．  下地＋厚０．８ｍｍ上部部材＋エクセル−ＦＭ(ビス)
６．  下地＋厚１．０ｍｍ上部部材＋エクセル−ＦＭ(ビス)
７．  下地＋厚０．５ｍｍ上部部材＋厚０．８ｍｍ平板＋エクセル−ＦＭ(小ネジピッチビス  長さ１３ｍｍ)
８．  下地＋厚０．５ｍｍ上部部材＋厚１．０ｍｍ平板＋エクセル−ＦＭ(小ネジピッチビス  長さ１３ｍｍ)
９．  下地＋厚０．８ｍｍ上部部材＋厚０．８ｍｍ平板＋エクセル−ＦＭ(小ネジピッチビス  長さ１３ｍｍ)
１０．  下地＋厚０．８ｍｍ上部部材＋厚１．０ｍｍ平板＋エクセル−ＦＭ(小ネジピッチビス  長さ１３ｍｍ)
引抜強度  詳細（ｎ＝２程度で平均１．５ｋＮを超えないものは検討を中止した）。
【００５３】
【表１】
0005643958.tif 000002
【００５４】
上記結果から固定手段はエクセルＦＭに決定し、上部部材１３０の上面にバックアップ部材１５０を付けることとした。
【表２】
0005643958.tif 000003
【００５５】
さらに構造を勘案し、上部部材１３０の下面にバックアップ部材１５０を挿入することとした。
【表３】
0005643958.tif 000004
【００５６】
[結論]
上部部材１３０単品を使用して固定する場合は、板厚は最低１．０ｍｍ以上が必要。→板厚１．０ｍｍ未満でも、強度に合わせて固定数を増やせば対応は可能。ただし、効率が悪く費用が掛かる。
【００５７】
上部部材１３０のシート装着部材１６０固定部の厚さを増す方法として、上部部材１３０上に鋼板からなる上板を装着して補強する方法では、上部部材１３０の天面と上板とが別々に変形することで厚さ増加の効果が見込めなかった。
【００５８】
つぎに、裏板を上部部材１３０の裏面に入れ、パッキン部材１４０との間隙に押し入れることにより、上部部材１３０の天面と裏板とが一緒に変形し、厚さを増加した効果が発現した。
【００５９】
上部部材１３０に裏板を併用した場合、板厚０．５ｍｍ(裏板１．０ｍｍ)の上部部材１３０か板厚０．８ｍｍ(裏板０．８ｍｍ以上)の上部部材１３０で１．９ｋＮ程度の引き抜き強度が担保できるが、材料の製造効率から双方０．８ｍｍが選択しやすい。
【００６０】
また、パッキン部材１４０としては、望ましい状態は、密度３０（ｋｇ／ｍ３）程度以上の、比較的硬めな軟質ウレタンフォームの一面に粘着層を設け、瓦棒(部分)１１３の内幅に切り揃える（１〜２ｍ長さ）。
【００６１】
ただし、熱膨張回避のため、１０ｍｍ程度の隙間を空けて並べることが好適である。密度３０（ｋｇ／ｍ３）程度の軟質ウレタンフォームであれば、メーカーの指定は不要である。
【００６２】
なお、本発明は本実施の形態に限定されるものではなく、その要旨を逸脱しない範囲で各種の変形を許容する。つまり、上述した実施の形態では、各部の構造などを具体的に説明したが、その構造などは本願発明を満足する範囲で各種に変更することができる。
以下、参考形態の例を付記する。
１．
上方に立設した一対の立設部の上端に内側下方に鋭角に傾斜した折返部が形成されていて建造物の屋根の上面に所定間隔で配列される複数の屋根板と、
隣接する一対の前記屋根板の間隙に位置する保持部と一対の前記折返部に個々に係合する一対の係合部とが形成されていて複数の前記屋根板の間隙に配列される支持部材と、
隣接する一対の前記屋根板の前記折返部に前記係合部を介して係合する一対の鋭角の曲折部が上面部の両側に個々に形成されている上部部材と、
前記支持部材と前記上部部材との間隙に上下方向に圧縮された状態で位置するパッキン部材と、
を有する瓦棒葺き屋根。
２．
前記パッキン部材の上面と前記上部部材の上面部の下面との間隙に平板状のバックアップ部材が挿入されている１．に記載の瓦棒葺き屋根。
３．
前記建造物の屋根に施工する防水シートが貼着されるシート装着部材が前記上部部材の上面部の上面に配置されており、
前記上部部材と前記バックアップ部材とに前記シート装着部材がタッピングビスで固定されている２．に記載の瓦棒葺き屋根。
４．
前記タッピングビスは、前記シート装着部材と前記上部部材と前記バックアップ部材とを貫通している３．に記載の瓦棒葺き屋根。
５．
前記タッピングビスは、前記シート装着部材とクロスシートと前記上部部材と前記バックアップ部材とを貫通している３．または４．に記載の瓦棒葺き屋根。
６．
上方に立設した一対の立設部の上端に内側下方に鋭角に傾斜した折返部が形成されている複数の屋根板を建造物の屋根の上面に所定間隔で配列し、
隣接する一対の前記屋根板の間隙に位置する保持部と一対の前記折返部に個々に係合する一対の係合部とが形成されている複数の支持部材を複数の前記屋根板の間隙に配列し、
複数の前記支持部材の内部に複数のパッキン部材を個々に挿入し、
前記パッキン部材を上下方向に圧縮して上部部材の上面部の両側に個々に形成されている一対の鋭角の曲折部を隣接する一対の前記屋根板の前記折返部に前記係合部を介して係合させる屋根施工方法。
７．
前記パッキン部材の上面と前記上部部材の上面部の下面との間隙に平板状のバックアップ部材を挿入する６．に記載の屋根施工方法。
８．
前記建造物の屋根に施工する防水シートを貼着するシート装着部材を前記上部部材の上面部の上面に配置し、
前記上部部材と前記バックアップ部材とに前記シート装着部材をタッピングビスで固定する７．に記載の屋根施工方法。
９．
前記タッピングビスを、前記シート装着部材と前記上部部材と前記バックアップ部材とに貫通させる８．に記載の屋根施工方法。
１０．
前記タッピングビスを、前記シート装着部材とクロスシートと前記上部部材と前記バックアップ部材とに貫通させる８．または９．に記載の屋根施工方法。
１１．
前記タッピングビスを、前記支持部材を貫通しない位置で前記パッキン部材の内部に位置させる８．ないし１０．の何れか１つに記載の屋根施工方法。
１２．
前記シート装着部材の少なくとも一部を前記防水シートと貼着する８．ないし１１．の何れか１つに記載の屋根施工方法。
【符号の説明】
【００６３】
１００    瓦棒葺き屋根
１１０    金属製屋根板
１１１    立設部
１１２    折返部
１１３    瓦棒(部分)
１２０    支持部材
１２１    保持部
１２２    係合部
１３０    上部部材
１３１    曲折部
１３２    上面部
１４０    パッキン部材
１４１    断熱材
１５０    バックアップ部材
１６０    シート装着部材
１６１    タッピングビス
１７０    防水シート
１８０    クロスシート
ＲＦ    屋根
【図１】
0005643958.tif 000005
【図２】
0005643958.tif 000006
【図３】
0005643958.tif 000007
【図４】
0005643958.tif 000008
【図５】
0005643958.tif 000009
【図６】
0005643958.tif 000010
【図７】
0005643958.tif 000011
【図８】
0005643958.tif 000012